(57)【要約】      （修正有）【課題】使用時のガタツキや異音を抑制しうる折畳みベッドを提供する。【解決手段】折畳みベッドであって、第１、第２のベッド枠体３Ａ、３Ｂの他端側の端部に、上向きに突出する軸受片２４Ａ、２４Ｂが設けられる。軸受片２４Ａ、２４Ｂは、一端側に、ベッド幅方向に沿った平面からなる立ち上がり面２５を有する。連結金具３６は、前記軸受片２４Ａ、２４Ｂに跨って添設された基片４１を含む。基片４１のベッド長さ方向の両端部には、展開状態において、軸受片２４Ａ、２４Ｂの前記立ち上がり面２５と面接触する平面４５Ｓを具えることにより第１のベッド枠体３Ａと第２のベッド枠体３Ｂとの前後方向のガタとを抑える側片４５が形成される。【選択図】図６
0003147034.tif 000002
【実用新案登録請求の範囲】
【請求項１】
上半身側を受ける第１のマット体が固定されかつ一端側に第１の支脚部が設けられた第１のベッド枠体と、
下半身側を受ける第２のマット体が固定されかつ一端側に第２の支脚部が設けられた第２のベッド枠体とを有し、かつ
第１のベッド枠体及び第２のベッド枠体の互いに向き合う各他端側を、前記第１のマット体及び第２のマット体が水平に展開される展開状態と、前記第１の支脚部及び第２の支脚部を近づけかつ第１のマット体及び第２のマット体の前記他端側を上とする垂直な収納状態との間で折畳み可能に連結する連結部を具える折畳みベッドであって、
前記展開状態において、第１のベッド枠体及び第２のベッド枠体は、それぞれの他端側の端部に、上向きに突出する軸受片が設けられ、
各軸受片は、各々の前記一端側に、ベッド幅方向に沿った平面からなる立ち上がり面を有するとともに、上端部側にベッド幅方向にのびる中心軸を有する貫通孔が形成され、
前記連結部は、ベッド幅方向の両側にそれぞれ配された連結金具と、ベッド幅方向にのびるとともに前記連結金具間を連結する結合軸部と、該結合軸部から下向きにのびる中間の支脚部とを含み、
前記各連結金具は、ベッド長さ方向に沿った垂直面内をのびかつ第１のベッド枠体の軸受片と、第２のベッド枠体の軸受片とに跨って添設された基片を含み、
該基片は、第１のベッド枠の軸受片の貫通孔が第１の枢支軸にて枢着される第１の貫通孔と、
この第１の枢支軸からベッド長さ方向に離間した位置に設けられかつ第２のベッド枠の軸受片の貫通孔が第２の枢支軸にて枢着される第２の貫通孔とを具え、かつ
前記基片のベッド長さ方向の両端部には、前記展開状態において、軸受片の前記立ち上がり面と面接触することにより第１のベッド枠体と第２のベッド枠体との前後方向のガタを抑える側片が形成されることを特徴とする折畳みベッド。
【請求項２】
前記軸受片の上端部は、ベッド側面視において、前記貫通孔の中心軸と同心の半円状の円弧面で形成されるとともに、
該軸受片の円弧面は、前記展開状態と前記収納状態との間の移動に際し、前記側片に接しながら案内されることを特徴とする請求項１記載の折畳みベッド。
【請求項３】
前記展開状態において、前記立ち上がり面は垂直面からなり、少なくとも２０mmの上下方向の長さで側片と当接する請求項１又２記載の折畳みベッド。
【請求項４】
前記軸受片の貫通孔、前記第１の貫通孔及び第２の貫通孔は同一の内径を有し、前記第１の枢支軸及び第２の枢支軸は、前記内径よりも０．３〜０．８mm小さい外径を有する請求項１ないし３のいずれかに記載の折畳みベッド。
【請求項５】
前記第１のマット体と前記第２のマット体との間には、腰部を受ける中のマット体が前記連結部の上に固着される請求項１ないし３のいずれかに記載の折畳みベッド。
【考案の詳細な説明】
【技術分野】
【０００１】
本考案は、マット体が水平に展開される展開状態から逆Ｖ字状に折り畳み可能な折畳みベッドに関し、詳しくは、使用時のガタツキや異音を抑制しうる折畳みベッドに関する。
【背景技術】
【０００２】
図１０（ａ）に示されるように、利用者の上半身側を受けるマット体ｃ１が固定される第１のベッド枠体ｂ１と、下半身側を受けるマット体ｃ２が固定される第２のベッド枠体ｂ２とが折り畳み可能に連結された折畳みベッドａが知られている（例えば、特許文献１参照）。このような折畳みベッドａは、図１０（ｂ）に示されるように、コンパクトに折り畳んで収納できるので、部屋のスペースを有効に活用できる。
【０００３】
ところで、図１１に拡大して示されるように、第１のベッド枠体ｂ１と、第２のベッド枠体ｂ２とは、連結金具ｆによって連結される。
【０００４】
連結金具ｆは、例えば、各ベッド枠体ｂ１、ｂ２の互いに向き合う端部材ｅ１、ｅ２を両側から保持しうる一対の板状材で構成される。そして、連結金具ｆと、端部材ｅ１、ｅ２とは、貫通孔ｇ、ｈよりも小径かつベッド幅方向にのびる枢支軸ｉによって枢着される。これにより、第１及び第２のベッド枠体ｂ１、ｂ２は、連結金具ｆに枢支軸ｉによって回動自在に枢支される。つまり、第１、第２のベッド枠体ｂ１、ｂ２は、各ベッド枠体ｂ１、ｂ２が折り畳まれた収納状態と、マット体ｃ１、ｃ２が水平に展開される展開状態との間で折り畳み可能に連結される。
【０００５】
【特許文献１】特開２００５−１５２２３４号公報
【考案の開示】
【考案が解決しようとする課題】
【０００６】
しかしながら、上述のような連結金具ｆでは、貫通孔ｇ、ｈと枢支軸ｉとの間の隙間により、例えば就寝者の寝返り等によってベッド枠体ｂ１、ｂ２に前後のズレが生じ、ガタツキや異音等を発生させるという問題があった。このような大きなガタツキは、快適な睡眠を阻害するため好ましくない。
【０００７】
他方、上記ガタツキを減らすために、貫通孔ｇ、ｈと、枢支軸ｉとの隙間を減らすことも考えられる。しかしながら、そのような構成では、貫通孔ｇ、ｈの加工精度によっては折畳み時や展開時に枢着部で大きなこじれが生じ、円滑な展開・折畳みができなかったり、組み立て時の作業性が低下するなどの問題がある。
【０００８】
本考案は、以上のような実状に鑑み案出されたもので、第１のベッド枠体及び第２のベッド枠体のそれぞれの他端側の端部に、上向きに突出する軸受片を設ける一方、連結金具には、展開状態において、軸受片の一端側の立ち上がり面と面接触することにより第１のベッド枠体と第２のベッド枠体との前後方向のガタとを抑える側片を設けることを基本として、使用時の前後方向のガタツキを抑制しうる折畳みベッドを提供することを主たる目的としている。
【課題を解決するための手段】
【０００９】
本考案のうち請求項１記載の考案は、上半身側を受ける第１のマット体が固定されかつ一端側に第１の支脚部が設けられた第１のベッド枠体と、下半身側を受ける第２のマット体が固定されかつ一端側に第２の支脚部が設けられた第２のベッド枠体とを有し、かつ第１のベッド枠体及び第２のベッド枠体の互いに向き合う各他端側を、前記第１のマット体及び第２のマット体が水平に展開される展開状態と、前記第１の支脚部及び第２の支脚部を近づけかつ第１のマット体及び第２のマット体の前記他端側を上とする垂直な収納状態との間で折畳み可能に連結する連結部を具える折畳みベッドであって、前記展開状態において、第１のベッド枠体及び第２のベッド枠体は、それぞれの他端側の端部に、上向きに突出する軸受片が設けられ、各軸受片は、各々の前記一端側に、ベッド幅方向に沿った平面からなる立ち上がり面を有するとともに、上端部側にベッド幅方向にのびる中心軸を有する貫通孔が形成され、前記連結部は、ベッド幅方向の両側にそれぞれ配された連結金具と、ベッド幅方向にのびるとともに前記連結金具間を連結する結合軸部と、該結合軸部から下向きにのびる中間の支脚部とを含み、前記各連結金具は、ベッド長さ方向に沿った垂直面内をのびかつ第１のベッド枠体の軸受片と、第２のベッド枠体の軸受片とに跨って添設された基片を含み、該基片は、第１のベッド枠の軸受片の貫通孔が第１の枢支軸にて枢着される第１の貫通孔と、この第１の枢支軸からベッド長さ方向に離間した位置に設けられかつ第２のベッド枠の軸受片の貫通孔が第２の枢支軸にて枢着される第２の貫通孔とを具え、かつ前記基片のベッド長さ方向の両端部には、前記展開状態において、軸受片の前記立ち上がり面と面接触することにより第１のベッド枠体と第２のベッド枠体との前後方向のガタを抑える側片が形成されることを特徴とする。
【００１０】
また請求項２記載の考案は、前記軸受片の上端部は、ベッド側面視において、前記貫通孔の中心軸と同心の半円状の円弧面で形成されるとともに、該軸受片の円弧面は、前記展開状態と前記収納状態との間の移動に際し、前記側片に接しながら案内されることを特徴とする請求項１記載の折畳みベッドである。
【００１１】
また請求項３記載の考案は、前記展開状態において、前記立ち上がり面は垂直面からなり、少なくとも２０mmの上下方向の長さで側片と当接する請求項１又２記載の折畳みベッドである。
【００１２】
また請求項４記載の考案は、前記軸受片の貫通孔、前記第１の貫通孔及び第２の貫通孔は同一の内径を有し、前記第１の枢支軸及び第２の枢支軸は、前記内径よりも０．３〜０．８mm小さい外径を有する請求項１ないし３のいずれかに記載の折畳みベッドである。
【００１３】
また請求項５記載の考案は、前記第１のマット体と前記第２のマット体との間には、腰部を受ける中のマット体が前記連結部の上に固着される請求項１ないし３のいずれかに記載の折畳みベッドである。
【考案の効果】
【００１４】
本考案の折畳みベッドは、第１のベッド枠体及び第２のベッド枠体のそれぞれの他端側の端部に、上向きに突出する軸受片が設けられる。該軸受片は、一端側に、ベッド幅方向に沿った平面からなる立ち上がり面を有するとともに、上端部側にベッド幅方向にのびる中心軸を有する貫通孔が形成される。
【００１５】
他方、第１のベッド枠体と第２のベッド枠体とを連結する連結金具は、ベッド長さ方向に沿った垂直面内をのびかつ第１のベッド枠体の軸受片と、第２のベッド枠体の軸受片とに跨って添設された基片を含む。
【００１６】
前記基片の第１の貫通孔には、第１のベッド枠の軸受片の貫通孔が第１の枢支軸にて枢着され、かつ、基片の第２の貫通孔には、第２のベッド枠の軸受片の貫通孔が第２の枢支軸にて枢着される。
【００１７】
しかも、基片のベッド長さ方向の両端部には、展開状態において、軸受片の前記立ち上がり面と面接触する側片が形成される。このような側片は、第１のベッド枠体及び第２のベッド枠体の各一端側への移動を拘束し、前後のズレを小さく抑え、ガタツキや異音を抑制して安定した展開状態を確保しうる。
【考案を実施するための最良の形態】
【００１８】
以下、本考案の実施の一形態が図面に基づき説明される。
図１は、本考案の折畳みベッド（以下、単に「ベッド」ということがある。）１の一実施形態を示す斜視図、図２は、その展開状態の平面図、図３は、その展開状態の側面図、図４は収納状態のベッドの側面図である。
【００１９】
図１に示されるように、ベッド１は、就寝者を受けるマット体２と、該マット体２を保持するベッド枠体３とを含んで構成される。
【００２０】
本実施形態のマット体２は、就寝者の上半身側を受ける第１のマット体２Ａと、主として下半身側を受ける第２のマット体２Ｂと、第１のマット体２Ａと第２のマット体２Ｂとの間に配されかつ主として腰部を受ける中のマット体２Ｃとが含まれる。
【００２１】
また、本実施形態のベッド枠体３は、前記第１のマット体２Ａが固定されかつ一端側Ｓ１に第１の支脚部６Ａが設けられた第１のベッド枠体３Ａと、第２のマット体２Ｂが固定されかつ一端側Ｓ１に第２の支脚部６Ｂが設けられた第２のベッド枠体３Ｂとを含む。
【００２２】
さらに、ベッド１は、第１のベッド枠体３Ａ及び第２のベッド枠体３Ｂの互いに向き合う各他端側Ｓ２、Ｓ２を、第１のマット体２Ａ及び第２のマット体２Ｂが水平に展開される展開状態と、図４に示されるように、第１の支脚部６Ａ及び第２の支脚部６Ｂを近づけかつ第１のマット体２Ａ及び第２のマット体２Ｂの他端側Ｓ２を上とする垂直な収納状態との間で折畳み可能に連結部４によって連結される。
【００２３】
図１に示されるように、第１のマット体２Ａは、例えば第１のベッド枠体３Ａの上に固定される第１の受け枠１１Ａと、この第１の受け枠１１Ａに支持される第１のマット１２Ａとを含んで構成される。本実施形態の第１のマット体２Ａは、第１の受け枠１１Ａと第１のマット１２Ａとが一体形成される。なお、第１のマット体２Ａは、カバー等で覆われても良い。
【００２４】
本実施形態の第１の受け枠１１Ａは、矩形状のフレーム材に例えば桟材等を架け渡して略矩形状枠に形成される。マットを安定して支持するために、第１の受け枠１１Ａには、その上面等に例えば金網等のネット材、板体又は比較的密に並設したばね性紐体などの保持具（図示省略）が固定される。
【００２５】
また、第２のマット体２Ｂも、第１のマット体２Ａと同様に、第２の受け枠１１Ｂと第２のマット１２Ｂとから一体にして形成される。
【００２６】
また、中のマット体２Ｃは、中の受け枠１１Ｃと中のマット１２Ｃとを含んで一体に形成される。中のマット体２Ｃの水平方向の周囲には、収納状態（図４に示す）において、第１、第２のマット体２Ａ、２Ｂの上向きの他端側Ｓ２の端面との間で生じる隙間Ｇを隠す覆いカバー１６が設けられてもよい。
【００２７】
また、各マット１２Ａ、１２Ｂ及び１２Ｃは、例えばスポンジ、チップウレタンフォーム、その他のクッション材等から形成される。ただし、各マットは、このような実施形態に限定されるものではなく、例えば、畳材や板材が間欠的に並べられたスノコ等で形成されても良い。
【００２８】
図２及び図３に示されるように、第１のベッド枠体３Ａは、展開状態において、それぞれベッド幅方向両側でベッド長さ方向にのびる一対の縦材２１Ａ、２１Ａと、該縦材２１Ａの一端側Ｓ１の端部を継ぎベッド幅方向にのびる一端側の横材２２Ａと、該縦材２１Ａの他端側Ｓ２で一対の縦材２１Ａ、２１Ａを継ぐ他端側の横材２３Ａとを含んで略矩形状の枠体に形成される。
【００２９】
また、第１のベッド枠体３Ａには、縦材２１Ａ、２１間又は各横材２２Ａ、２３Ａ間に適宜架け渡した補強フレーム材（図示省略）が設けられることが好ましい。本実施形態では、各縦材２１Ａにそれぞれ手すり３１が固着される。
【００３０】
第２のベッド枠体３Ｂも、第１のベッド枠体３Ａと同様、一対の縦材２１Ｂ、２１Ｂと、一端側の横材２２Ｂと、他端側の横材２３Ｂとを含んで略矩形状に形成される。
【００３１】
図１、図２に示されるように、第１の支脚部６Ａは、第１のベッド枠体３Ａの一端側Ｓ１の横材２２Ａに固着され垂直方向にのびる一対の脚材２８、２８と、この一対の脚材２８、２８の上端を継ぐ継材２９とを含んで略宮状に形成される。また、一対の脚材２８、２８の下端には、ブレーキ付きのキャスター輪３２ａが設けられる。さらに、継材２９のベッド幅方向の略中央の位置には、該継材２９から一端側Ｓ１に突出し、収納状態（図４に示す）で接地するキャスター輪３２ｂが設けられる。
【００３２】
第２の支脚部６Ｂは、ベッド長さ方向にのびかつ両端にブレーキ付きのキャスター輪３２ｃを具える台座枠材３３と、この台座枠材３３の上面中央から垂直方向上方にのびる立脚部３４とを含む略逆Ｔ字に形成される。立脚部３４の上端部は、第２のベッド枠体３Ｂの縦材２１Ｂの一端側Ｓ１に枢支される。
【００３３】
図５ないし７に示されるように、第１、第２のベッド枠体３Ａ、３Ｂのそれぞれの他端側の端部には、上方へのびる軸受片２４Ａ、２４Ｂが設けられる。本実施形態の軸受片２４Ａ、２４Ｂは、第１のベッド枠の縦材２１Ａ及び第２のベッド枠体の縦材２１Ｂそれぞれの他端側Ｓ２の端部に固着されている。
【００３４】
また、本実施形態の軸受片２４Ａ、２４Ｂは、ベッド長さ方向に沿った垂直面内を縦材２１Ａ、２１Ｂから上向きにのびる板状で形成される。また、軸受片２４Ａは、第１のベッド枠体３Ａの一端側Ｓ１の立ち上がり面２５と、他端側Ｓ２の立ち上がり面３０と、これらの上部を継ぐ半円状の円弧面２７とを含んで構成される。
【００３５】
軸受片２４Ｂも、軸受片２４Ａと同様、第２のベッド枠体３Ｂの一端側Ｓ１の立ち上がり面２５と、他端側Ｓ２の立ち上がり面３０と、これらの上部を継ぐ半円状の円弧面２７とを含んで構成される。
【００３６】
本実施形態では、各軸受片２４Ａ、２４Ｂの前記一端側の立ち上がり面２５は、展開状態において、いずれもベッド幅方向に沿う垂直な平面で構成される。該立ち上がり面２５は、より具体的にはベッド幅方向に４mm（軸受片を形成する板材の厚さに相当）、高さ方向に約３０mmの縦長矩形状の平面として構成される。ただし、立ち上がり面２５の平面は、必ずしてもこのような垂直面に限定されるものではない。
【００３７】
また、各軸受片２４Ａ、２４Ｂの上端部側には、それぞれベッド幅方向にのびる中心軸を有する円形の貫通孔２６Ａ、２６Ｂが形成され、この貫通孔２６Ａ、２６Ｂが連結部４に枢着される。
【００３８】
図５、図６に示されるように、連結部４は、ベッド幅方向の両側にそれぞれ配された連結金具３６、３６と、該連結金具３６、３６間をベッド幅方向にのびて連結する結合軸部３７と、該結合軸部３７から下向きにのびかつ展開状態にて床面に接地する一対の中の支脚部３８、３８とを含んで構成される。
【００３９】
結合軸部３７には、該結合軸部３７から各一端側Ｓ１、Ｓ１に突出する突出片３９が設けられる。この突出片３９の上部には、中のマット体２Ｃの中の受け枠１１Ｃがボルト等の締結金具３５で固着され、その上に中のマット体２Ｃが保持される。また、結合軸部３７のベッド幅方向両端には、連結金具３６からベッド幅方向へ突出するハンドル部４０が固着される。このハンドル部４０は、ベッド１を折り畳む際に把持されることによって、折り畳み操作の容易性及び安全性を向上しうる。
【００４０】
一対の中の支脚部３８は、ベッド幅方向にのびる支脚軸部４８（図５に示す）により連結される。本実施形態では、この支脚軸部４８と第１のベッド枠体３Ａの一端側の横材２２Ａとの間には、他端側の横材２３Ａに設けられる案内ローラ４６を介して、例えば引張ばねからなる弾性手段４７が張設される。同様に、支脚軸部４８と第２のベッド枠体３Ｂの一端側の横材２２Ｂとの間にも弾性手段４７が設けられる。このような弾性手段４７は、各ベッド枠体３Ａ、３Ｂを折り畳み方向に付勢しうる結果、展開状態から収納状態へ折り畳む際のハンドル部４０を持ち上げる力を軽減できる。
【００４１】
各連結金具３６は、ベッド長さ方向に沿った垂直面内をのびかつ第１のベッド枠体３Ａの軸受片２４Ａと第２のベッド枠体３Ｂの軸受片２４Ｂとに跨って添設された板状の基片４１を含んで構成される。即ち、基片４１は、軸受片２４Ａ、２４Ｂと平行にのびる板状で形成される。また、本実施形態の基片４１は、各軸受片２４Ａ、２４Ｂのベッド幅方向外側に添設される。
【００４２】
この基片４１には、第１のベッド枠体３側に、ベッド幅方向にのびる中心軸を有する円形の第１の貫通孔４２Ａが設けられる。本実施形態において、第１の貫通孔４２Ａは、第１のベッド枠体３Ａの軸受片２４Ａの貫通孔２６Ａと同一の内径で形成されている。
【００４３】
また、第１の貫通孔４２Ａ及び軸受片２４Ａの貫通孔２６Ａは、ネジ部を有するボルト状の第１の枢支軸４３Ａによって枢着される。
【００４４】
図８に示されるように、第１の枢支軸４３Ａの外径Ｒ２は、第１の貫通孔４２Ａ及び軸受片２４Ａの貫通孔２６Ａの内径Ｒ１よりも小さく形成される。これにより、第１の貫通孔４２Ａ及び軸受片２４Ａの貫通孔２６Ａは、第１の枢支軸４３Ａの外周を円滑に摺動できる。
【００４５】
また、連結金具３６の基片４１には、図５、６に示されるように、第１の枢支軸４３Ａから第２のベッド枠体３Ｂ側かつベッド長さ方向に離間した位置に、円形の第２の貫通孔４２Ｂが設けられる。本実施形態において、この第２の貫通孔４２Ｂは、第２のベッド枠体３Ｂの軸受片２４Ｂの貫通孔２６Ｂと同一の内径を有し、第１の枢支軸４３Ａと同様の第２の枢支軸４３Ｂによって枢着される。
【００４６】
さらに、基片４１のベッド長さ方向の両端部には、展開状態において、各軸受片２４Ａ、２４Ｂの前記一端側Ｓ１の立ち上がり面２５と面接触する側片４５を具える。本実施形態において、側片４５は、展開状態において、前記立ち上がり面２５と面接触しうるベッド幅方向に沿った垂直な平面４５Ｓを具えている。さらに、この平面４５Ｓは、前記立ち上がり面２５を完全に受け得るよう立ち上がり面２５よりも大きく形成されている。本実施形態の平面４５Ｓは、ベッド幅方向に約１０mm、高さ方向に３０mm以上の縦長矩形状に形成されている。
【００４７】
このような側片４５は、展開状態となった第１のベッド枠体３Ａと第２のベッド枠体３Ｂとのさらなる傾動を防止し、これらが水平状態からさらに折れ曲がる（いわゆるＶ字状の中折れ）のを防止できる。
【００４８】
また、側片４５は、図８に示されるように、軸受片２４Ａ、２４Ｂと面接触することにより各ベッド枠体３Ａ、３Ｂを安定して保持でき、かつそれぞれの一端側Ｓ１へ移動や回動を拘束できる。従って、第１又は第２のベッド枠体３Ａ又は３Ｂのベッド長さ方向のズレを小さく抑え、ガタツキや異音を抑制し、安定した展開状態を確保できる。また、立ち上がり面２５と側片４５とは面接触するため、接触圧力を緩和し、耐久性を高めるのにも役立つ。
【００４９】
図７に示されるように、側片４５の平面４５Ｓと各軸受片２４Ａ、２４Ｂの一端側の立ち上がり面２５との展開状態における上下方向の当接長さＬ１、Ｌ２は、少なくとも２０mmであることが好ましい。これにより、側片４５は、各軸受片２４Ａ、２４Ｂを十分にかつより安定して支持できる点で好ましい。また、面接触時の接触面積は、各軸受片当たり、好ましくは５０mm2以上、より好ましくは８０mm2以上、さらに好ましくは１００mm2以上がより安定して展開状態を維持できるため好適である。なお、上記接触面積が大きすぎると、連結部４の構成が大型化するおそれがあるので、好ましくは２００mm2以下とするのが望ましい。
【００５０】
また、側片４５の下端は、展開状態において、第１、第２のベッド枠体３Ａ、３Ｂの縦材２１Ａ、２１Ｂの上面と当接しない位置に設けられるのが好ましい。これにより、第１及び第２のベッド枠体３Ａ、３Ｂの展開状態の位置は、側片４５と軸受片２４Ａ、２４Ｂとの面接触のみで位置決めされる。
【００５１】
また、図８に示されるように、第１、第２の枢支軸４３Ａ、４３Ｂの外径Ｒ２と、各軸受片２４Ａ、２４Ｂの貫通孔２６Ａ、２４Ｂ及び第１、第２の貫通孔４２Ａ、４２Ｂの内径Ｒ１との差は、例えば０．３〜０．８mm程度が好ましい。これにより、各ベッド枠体３Ａ、３Ｂは、円滑に展開ないし折畳み操作を確保しつつ、ガタツキを抑制できる。
【００５２】
また、好ましくは、展開状態において、各マット体２Ａ、２Ｂ、２Ｃがベッド長さ方向で互いに圧縮された状態で密に配されることが望ましい。これにより、第１、第２のベッド枠体３Ａ、３Ｂの他端側Ｓ２へのズレをも効果的に抑えることができる。
【００５３】
また、軸受片２４Ａ、２４Ｂにおいて、その上端部の円弧面２７は、ベッド側面視において、各貫通孔２６Ａ、２６Ｂの中心軸と同心の半円状に形成されることが好ましい。これにより、図９（ａ）、（ｂ）に示されるように、例えば、展開状態から収納状態へ折り畳む際に、側片４５の平面４５Ｓは、各軸受片２４Ａ、２４Ｂの円弧面２７と摺接することにより、各ベッド枠体３Ａ、３Ｂをスムーズに折り畳むことができる。従って、このような実施形態では、側片４５は、ベッド１を折り畳み又は展開させる際に生じる第１、第２のベッド枠体３Ａ、３Ｂのガタツキや異音等をも抑制しうる。
【００５４】
以上、本考案の特に好ましい形態について詳述したが、本考案は図示の実施形態に限定されることなく、本考案の要旨を逸脱しない範囲において種々の態様に変形して実施し得る。例えば、立ち上がり面２５及び側片４５の平面４５Ｓは、互いに面接触できるものであれば、垂直面から傾斜させても良い。
【図面の簡単な説明】
【００５５】
【図１】本考案のベッドの一実施形態を示す全体斜視図である。
【図２】その展開状態の平面図である。
【図３】その展開状態の側面図である。
【図４】その収納状態の側面図である。
【図５】その展開状態の軸受片及び連結金具を拡大して示す斜視図である。
【図６】その分解斜視図である。
【図７】展開状態においてベッド幅方向内側から軸受片及び連結金具を見た側面図である。
【図８】その部分拡大図である。
【図９】（ａ）は展開状態から収納状態へ移行する軸受片及び連結金具を示す側面図、（ｂ）はその収納状態の軸受片及び連結金具を示す側面図である。
【図１０】（ａ）は従来の折畳みベッドの展開状態を示す側面図、（ｂ）はその収納状態を示す側面図である。
【図１１】従来の折畳みベッドの連結部を拡大して示す斜視図である。
【符号の説明】
【００５６】
１  折畳みベッド
２  マット体
２Ａ  第１のマット体
２Ｂ  第２のマット体
３  ベッド枠
３Ａ  第１のベッド枠体
３Ｂ  第２のベッド枠体
４  連結部
２４Ａ  軸受片
２４Ｂ  軸受片
２５  軸受片の一端側の立ち上がり面
２７  軸受片の円弧面
３６  連結金具
４１  基片
４５  側片
４５Ｓ  平面
【図１】
0003147034.tif 000003
【図２】
0003147034.tif 000004
【図３】
0003147034.tif 000005
【図４】
0003147034.tif 000006
【図５】
0003147034.tif 000007
【図６】
0003147034.tif 000008
【図７】
0003147034.tif 000009
【図８】
0003147034.tif 000010
【図９】
0003147034.tif 000011
【図１０】
0003147034.tif 000012
【図１１】
0003147034.tif 000013